(57)【要約】【課題】衛生的で、使用勝手の良い吸込具を提供する。【解決手段】パイプ部材１９に、回動軸部（図示せず）を介して回動自在に配設されると共に係合部Ａ２６を有するブラシホルダー２２と、ブラシホルダー２２を回動突出する方向に附勢するフックバネ２４と、一端に、パイプ部材１９に挿入される延長管（図示せず）などと係合する凸部Ａ３０を、他端に釦Ａ３２をそれぞれ有し、上面に保持部Ａ３５を有する尾錠Ａ２９と、ブラシホルダー２２に形成された被保持部Ａ３６と、回動軸部近傍に配された滑り材２２Ｃと、パイプ部材１９の外面に形成され、ブラシホルダー２２が、一定の角度まで回動突出した時に、係合部Ａ２６と当接する被係合部Ａ２５とを備え、ブラシホルダー２２がパイプ部材１９の軸方向と略平行な位置にきた時に、保持部Ａ３５と被保持部Ａ３６が係合し、その状態で保持されるようにした。【選択図】図３
2009061209.tif 000002
【特許請求の範囲】
【請求項１】
パイプ部材と、前記パイプ部材の外周又は一部に、回動軸部を介して前記パイプ部材の軸方向に対して回動自在に配設された吸口部材と、前記吸口部材を回動突出する方向に附勢する弾性体と、前記吸口部材に形成された係合部Ａと、一端に前記パイプ部材に挿入される延長管などと係合する係止部を、他端に釦をそれぞれ有し、上面に突出した保持部Ａを有する尾錠と、前記吸口部材に形成された被保持部Ａと、前記回動軸部近傍に配され、吸込具の被掃除面上の移動を容易にするための移動補助体と、前記パイプ部材の外面に形成され、前記吸口部材が前記パイプ部材の軸方向に対して一定の角度まで回動突出した時に、前記係合部Ａと当接する被係合部Ａとを備え、前記吸口部材が前記パイプ部材の軸方向に対して略平行な位置にきた時に前記保持部Ａと前記被保持部Ａが係合し、その状態で保持されることを特徴とする吸込具。
【請求項２】
移動補助体として、フッ素系樹脂などの滑り材を配設したことを特徴とする請求項１に記載の吸込具。
【請求項３】
移動補助体として、起毛布などの清掃用軟質材を配設したことを特徴とする請求項１に記載の吸込具。
【請求項４】
移動補助体として、エチケットブラシなどの清掃用硬質材を配設したことを特徴とする請求項１に記載の吸込具。
【請求項５】
回動軸部の略両端にローラーを、回転自在に、かつ吸込具外郭よりも突出させて配置したことを特徴とする請求項１〜４のいずれか１項に記載の吸込具。
【請求項６】
ローラーの表面に起毛布などの清掃用軟質材を配設したことを特徴とする請求項５に記載の吸込具。
【請求項７】
移動補助体を、吸口部材使用時及び、収納時のいずれの状態においても、被掃除面と接地する位置に配置したことを特徴とする請求項１〜６のいずれか１項に記載の吸込具。
【請求項８】
吸引力を発生する電動送風機と、前記電動送風機の吸気上流側に配設され塵埃を捕集する集塵室を有する本体と、請求項１〜７のいずれか１項に記載の吸込具を有する電気掃除機。
【発明の詳細な説明】
【技術分野】
【０００１】
本発明は、電気掃除機などの吸引装置に接続して使用される吸込具およびそれを用いた電気掃除機に関するものである。
【背景技術】
【０００２】
従来のこの種の吸込具は、一端が電気掃除機の集塵室と連通したホースと、ホースの他端に設けた先端パイプに接続される延長管と、床用吸込具などを有した電気掃除機に、ブラシノズルや隙間ノズルとして、前記先端パイプや延長管の先端に着脱自在に取付けられるものであった。その構成としては、先端パイプや延長管の先端部などに設けた取付け部に回動自在、摺動自在、着脱自在に接続可能な形態が一般的であった（例えば、特許文献１乃至４参照）。
【特許文献１】特開２０００−０７０１８７号公報
【特許文献２】特開２０００−２７９３５２号公報
【特許文献３】特許第３２１３６０８号公報
【特許文献４】特許第３３４４１３６号公報
【発明の開示】
【発明が解決しようとする課題】
【０００３】
しかしながら、ブラシノズルや隙間ノズルなどの上記従来の吸込具の構成では、吸込具を、特に先端パイプに装着する時には、まず、先端パイプから延長管を取り外した後、吸込具を握り収納場所から取り外し、または回動させて先端パイプに装着する必要があった。また、吸込具を、先端パイプに対して正しい位置に装着しないと、吸込具に設けた吸込口が意図しない方向に向くため、使いにくいという欠点があり、位置決めのし易さが課題であった。さらには、吸込具を先端パイプから取り外す時には、上記とは逆に先端パイプから吸込具を握り吸込具を取り外してまたは回動させて収納場所に収納した後、先端パイプに延長管を装着する必要があり、吸込具と延長管の付け替えに、汚れた吸込具を握らなくてはならず不衛生であるとともに、吸込具と延長管の着脱、吸込具の収納部からの着脱の３動作が必要であり、使用性が悪いという課題があった。
【０００４】
また、吸込具の吸込口の角度が固定されており、吸込具の吸込口の角度が変えられる構成になっていても、手で角度調整する必要があり、やはり、不衛生であるとともに使用性が悪いという課題がある。さらには、吸込具に、移動補助体が無く、吸込具の操作力が大きく使用性が悪いとともに被掃除面に傷を付ける恐れがあった。
【０００５】
他の従来の吸込具の構成として、吸込具を、先端パイプなどの先端に回動あるいは摺動させて付け替え、収納ができるものがあり、先端パイプに対する吸込具の接続の位置決めは改善されてはいるが、やはり、吸込具と延長管の付け替えに汚れやすい吸込具を握らなくてはならず不衛生であるとともに、吸込具と延長管の着脱、吸込具の収納部からの着脱の３動作が必要であり、使用性が悪いという課題が残っていた。また、延長管への吸込具の着脱においても、同様に床用吸込具の着脱と吸込具の着脱が必要であった。本従来例も上記従来例と同様に吸込具に移動補助体が無く、吸込具の操作力が大きく使用性が悪いとともに被掃除面に傷を付ける恐れがあった。
【０００６】
本発明は上記従来の課題を解決するもので、吸込具と延長管などの付け替え時に吸込具に触れることなく、また、吸込具の収納が掃除作業の延長で行うことができるとともに吸込具の操作性が良好で、被掃除面を傷つけ難い、かつ衛生的で使用性に優れた吸込具及び電気掃除機を提供することを目的とするものである。
【課題を解決するための手段】
【０００７】
上記従来の課題を解決するために、本発明の吸込具は、パイプ部材と、前記パイプ部材の外周又は一部に、回動軸部を介して前記パイプ部材の軸方向に対して回動自在に配設された吸口部材と、前記吸口部材を回動突出する方向に附勢する弾性体と、前記吸口部材に形成された係合部Ａと、一端に前記パイプ部材に挿入される延長管などと係合する係止部を、他端に釦をそれぞれ有し、上面に突出した保持部Ａを有する尾錠と、前記吸口部材に形成された被保持部Ａと、前記回動軸部近傍に配され、吸込具の被掃除面上の移動を容易にするための移動補助体と、前記パイプ部材の外面に形成され、前記吸口部材が前記パイプ部材の軸方向に対して一定の角度まで回動突出した時に、前記係合部Ａと当接する被係合部Ａとを備え、前記吸口部材が前記パイプ部材の軸方向に対して略平行な位置にきた時に前記保持部Ａと前記被保持部Ａが係合し、その状態で保持されるもので、吸口部材をパイプ部材の軸方向に対して回転方向に附勢する弾性体により、常に吸口部材がパイプ部材の軸方向に対して一定の角度を有して回動突出した位置になるように附勢されているため、尾錠の釦を押してパイプ部材に接続した延長管などを取り外すと、尾錠の保持部Ａが吸口部材の被保持部Ａから外れ、弾性体の附勢力によって吸口部材が回動して吸口部材の係合部Ａがパイプ部材の被係合部Ａに当接するまで回動することにより、吸口部材がパイプ部材の軸方向に対して一定の角度を有して回動突出した位置となり、そのまま直ぐに吸込具として塵埃の吸込みが行え、使い勝手が非常に良いものである。また、パイプ部材に延長管などを取付ける時には、吸口部材をパイプ部材の軸方向に対して略平行な位置に保持させて延長管などを挿入して接続する。つまり、吸口部材がパイプ部材の軸方向に対して一定の角度を有して回動突出した位置から吸口部材を床面などに接地させた状態でパイプ部材を回動させて吸口部材の被保持部Ａが尾錠の保持部Ａに係合することにより、吸口部材を、パイプ部材の軸方向に対して略平行な位置に保持させた状態で保持できるものである。したがって、吸込具の使用状態、収納状態が延長管の着脱動作と掃除動作とに連動して行うことができ、吸込具に触れることなく、衛生的で使用性に優れた吸込具を提供することができる。
【０００８】
また、使用時における吸込具の吸口部材の吸込口角度は、弾性体による附勢力によって被掃除面側に附勢されているので、使用時のパイプ部材の角度によって吸込口の角度は追随が可能であり、従来の吸込具のように吸込口の角度を気にすることなく、手軽に使用でき操作性が向上するとともに被掃除面への吸込口の密着性が向上することにより、集塵性能の向上が図れるものである。さらには、本吸込具は、延長管などと接続した状態で保持できることにより、収納場所を別に設ける必要もなく、吸込具を使いたい時に直ぐに使えるともに吸込具の紛失も防止できるものである。また、吸口部材が回動して吸込具として使用する時に回動軸部近傍に配置した移動補助体によって、吸込具の前後の動きが補助され、吸込具の操作性が向上するとともに吸込具による被掃除面への傷付きを防止できるものである。
【０００９】
また、本発明の電気掃除機は、吸引力を発生する電動送風機と、前記電動送風機の吸気上流側に配設され塵埃を捕集する集塵室を有する本体と、請求項１〜７のいずれか１項に記載の吸込具を有するもので、電気掃除機としての掃除範囲の拡大や使用性の向上、衛生的な掃除などが容易に行えるものである。
【発明の効果】
【００１０】
本発明の吸込具及び電気掃除機は、吸込具の使用状態、収納状態の選択が延長管の着脱動作と使用動作の延長で行え、着脱動作が少なく、また、吸込具に触れることがないため、衛生的で使用性に優れている。さらに、使用時における吸込具の吸込口の角度は、弾性体による附勢力によって被掃除面側に附勢されているので、使用時のパイプ部材の角度によって吸込口の角度は追随が可能であり、従来の吸込具のように吸込口の角度を気にすることなく、手軽に使用でき操作性が向上するとともに被掃除面への吸込口の密着性が向上することにより、集塵性能の向上が図れるものである。また、吸口部材が回動して吸込具として使用する時に回動軸部近傍に配置した移動補助体によって吸込具の前後の動きが補助され、吸込具の操作性が向上するとともに、吸込具による被掃除面への傷付きを防止できるものである。
【発明を実施するための最良の形態】
【００１１】
第１の発明は、パイプ部材と、前記パイプ部材の外周又は一部に、回動軸部を介して前記パイプ部材の軸方向に対して回動自在に配設された吸口部材と、前記吸口部材を回動突出する方向に附勢する弾性体と、前記吸口部材に形成された係合部Ａと、一端に前記パイプ部材に挿入される延長管などと係合する係止部を、他端に釦をそれぞれ有し、上面に突出した保持部Ａを有する尾錠と、前記吸口部材に形成された被保持部Ａと、前記回動軸部近傍に配され、吸込具の被掃除面上の移動を容易にするための移動補助体と、前記パイプ部材の外面に形成され、前記吸口部材が前記パイプ部材の軸方向に対して一定の角度まで回動突出した時に、前記係合部Ａと当接する被係合部Ａとを備え、前記吸口部材が前記パイプ部材の軸方向に対して略平行な位置にきた時に前記保持部Ａと前記被保持部Ａが係合し、その状態で保持されるもので、吸口部材をパイプ部材の軸方向に対して回転方向に附勢する弾性体により、常に吸口部材がパイプ部材の軸方向に対して一定の角度を有して回動突出した位置になるように附勢されているため、尾錠の釦を押してパイプ部材に接続した延長管などを取り外すと、尾錠の保持部Ａが吸口部材の被保持部Ａから外れ、弾性体の附勢力によって吸口部材が回動して吸口部材の係合部Ａがパイプ部材の被係合部Ａに当接するまで回動することにより、吸口部材がパイプ部材の軸方向に対して一定の角度を有して回動突出した位置となり、そのまま直ぐに吸込具として塵埃の吸込みが行え、使い勝手が非常に良いものである。また、パイプ部材に延長管などを取付ける時には、吸口部材をパイプ部材の軸方向に対して略平行な位置に保持させて延長管などを挿入して接続する。つまり、吸口部材がパイプ部材の軸方向に対して一定の角度を有して回動突出した位置から吸口部材を床面などに接地させた状態でパイプ部材を回動させて吸口部材の被保持部Ａが尾錠の保持部Ａに係合することにより、吸口部材を、パイプ部材の軸方向に対して略平行な位置に保持させた状態で保持できるものである。したがって、吸込具の使用状態、収納状態が延長管の着脱動作と掃除動作とに連動して行うことができ、吸込具に触れることなく、衛生的で使用性に優れた吸込具を提供することができる。
【００１２】
また、使用時における吸込具の吸口部材の吸込口角度は、弾性体による附勢力によって被掃除面側に附勢されているので、使用時のパイプ部材の角度によって吸込口の角度は追随が可能であり、従来の吸込具のように吸込口の角度を気にすることなく、手軽に使用でき操作性が向上するとともに被掃除面への吸込口の密着性が向上することにより、集塵性能の向上が図れるものである。さらには、本吸込具は、延長管などと接続した状態で保持できることにより、収納場所を別に設ける必要もなく、吸込具を使いたい時に直ぐに使えるともに吸込具の紛失も防止できるものである。また、吸口部材が回動して吸込具として使用する時に回動軸部近傍に配置した移動補助体によって、吸込具の前後の動きが補助され、吸込具の操作性が向上するとともに吸込具による被掃除面への傷付きを防止できるものである。
【００１３】
第２の発明は、特に、第１の発明の移動補助体として、フッ素系樹脂などの滑り材を配設したもので、吸口部材による被掃除面への傷つきを防止するとともに吸込具を使用する時に操作抵抗が低減されて操作がしやすいとともに被掃除面を拭くことにより、より集塵性能も向上するものである。
【００１４】
第３の発明は、特に、第１の発明の移動補助体として、起毛布などの清掃用軟質材を配設したもので、起毛布などの清掃用軟質材によって被掃除面との抵抗を最小限にして吸込具の操作力を低減し、更なる使用性の向上と性能の向上が図れるものである。
【００１５】
第４の発明は、特に、第１の発明の移動補助体として、エチケットブラシなどの清掃用硬質材を配設したもので、被掃除面上の塵埃を掻き取り掃除性能の向上が図れるもので特に絨毯など塵埃がこびりつき易い被掃除面に有効である。
【００１６】
第５の発明は、特に、第１〜４のいずれか一つの発明の回動軸部の略両端にローラーを、回転自在に、かつ吸込具外郭よりも突出させて配置したもので、前記ローラーにより吸込具の底面が被掃除面に当接せず、また、ローラーの回転により吸込具の移動が非常に容易になるため、使用性の向上が図れるもので、特に絨毯などの操作抵抗が高く、吸い付き易い被掃除面に有効である。
【００１７】
第６の発明は、特に、第５の発明のローラーの表面に起毛布などの清掃用軟質材を配設したもので、ローラーの左右方向での移動に際して起毛布などの清掃用軟質材により、被掃除面との抵抗が低減することにより、吸込具の左右への操作性の向上を図ることが出来るものである。
【００１８】
第７の発明は、特に、第１〜６のいずれか一つの発明の移動補助体を、吸口部材使用時及び、収納時のいずれの状態においても、被掃除面と接地する位置に配置したもので、吸込具を把手を有する先端パイプに取り付けて収納時の状態として更に床用吸込具を先端に有する延長管を取り付けた使用状態において、把手を持った状態で、先端パイプの下部が床面に接地するような使用状態でも、移動補助体が床面に接することにより上記第１〜第５の発明による効果が期待でき、より使用性の向上が図れるものである。
【００１９】
第８の発明は、吸引力を発生する電動送風機と、前記電動送風機の吸気上流側に配設され塵埃を捕集する集塵室を有する本体と、請求項１〜７のいずれか１項に記載の吸込具を有するもので、電気掃除機としての掃除範囲の拡大や使用性の向上、衛生的な掃除などが容易に行えるものである。
【００２０】
以下、本発明の実施の形態について、図面を参照しながら説明する。なお、この実施の形態によりこの発明が限定されるものではない。
【００２１】
（実施の形態１）
本発明の第１の実施の形態における吸込具について、図１〜図９を用いて説明する。
【００２２】
図１は、本実施の形態における吸込具を備えた電気掃除機の全体斜視図である。
【００２３】
図１において、電気掃除機本体（以下、本体と称す）７は、本体下１と、本体上６から構成され、本体下１は、前側に、塵埃を集積する集塵袋２を配置した集塵室３を、後方に塵埃吸引用の電動送風機４などを備えている。前部の集塵袋２上方を覆う蓋体５で集塵室３を形成するとともに後部に電動送風機４などを配置した上方を本体上６で覆っている。
【００２４】
８はホースで、一端に、本体７前部に構成した集塵室３に連通し、電動送風機４の吸引力による吸込み通路を形成するフロントカバー９の吸気口１０に接続する接続パイプ１１を有するとともに、他端に、使用時に握って操作する把手１２を形成し、また、延長管１３などを接続する先端パイプ１４を備えている。
【００２５】
床面の塵埃を効率的に吸引する床用吸込具１５を、延長管１３の先端に着脱自在に接続して用いる。１６は、本体７を持ち運びする時に握るサゲテである。本体下１の前部底面に配設したキャスターローラー（図示せず）と共に使用時に本体７を移動させるローラー１７が、本体下１の後部両側面に配設されている。
【００２６】
先端パイプ１４の先端には、延長管１３を取り外した時に使用できる吸込具１８を着脱自在に構成している。前記吸込具１８は、パイプ部材１９の略先端下部に位置した回転軸２０によって、一端にブラシ２１を植毛した吸口部材としてのブラシホルダー２２をパイプ部材１９に対して回動自在に枢支し、前記ブラシホルダー２２は、パイプ部材１９の外郭上方の位置とブラシホルダー２２の他端をパイプ部材１９の接続部Ａ２３に連通させて連通部２２Ａを形成し、パイプ部材１９に対して、ブラシ２１が一定の角度α（図２）を有した位置との間を回動自在に構成している。
【００２７】
２４は、ブラシホルダー２２をパイプ部材１９の接続部Ａ２３に対して回動突出させて一定の角度αを有する方向に附勢する弾性体としてのフックバネであり、パイプ部材１９の下部の外郭両側に設けた被係合部Ａ２５と、ブラシホルダー２２の内面両側に設けた係合部Ａ２６とが当接することによって、ブラシホルダー２２の回動角度を規制している。この時、フックバネ２４の附勢力（弾性力）は、ブラシ２１の弾性力と同等もしくはそれより小さく設定している。
【００２８】
また、本実施の形態では、角度αを略６０°に設定しており、これにより、ブラシ２１と被掃除面の角度は、略３０°となり、先端パイプ１４の把手１２と略平行になっている。２９は、延長管１３をパイプ部材１９に接続した時に、一端に、係止部として設けた凸部Ａ３０が、延長管１３の凹部Ａ３１に係合し、延長管１３を保持、固定する尾錠Ａであり、前記尾錠Ａ２９は、他端に指で押さえる釦として釦Ａ３２を形成するとともに軸Ａ３３によって回動自在に構成され、かつ、釦Ａ３２近傍に圧縮バネＡ３４を配置し、圧縮バネＡ３４によって、常に釦Ａ３２を上方に附勢、つまり、凸部Ａ３０を下方に附勢し、それを延長管１３の凹部Ａ３１に係合させる方向に力を加えている。
【００２９】
また、前記尾錠Ａ２９の軸Ａ３３と釦Ａ３２の間に、上方に突出した保持部Ａ３５を形成し、図８に示すように、ブラシホルダー２２の連通部２２Ａ側に形成した被保持部Ａ３６に係合して、ブラシホルダー２２をパイプ部材１９の上方に保持、固定できるようになっている。
【００３０】
３７、３８は、ブラシホルダー２２がパイプ部材１９が上方に位置した時に覆うように収納する収納カバー部材としての外郭右、外郭左であり、ネジＡ３９、ネジＢ４０によってパイプ部材１９に固定されている。
【００３１】
また、外郭右３７、外郭左３８の先端略外周部には、エラストマー、軟質塩化ビニル、ゴム、起毛布などの軟質材を材料とするバンパー４１が、突出代Ａを有してパイプ部材１９より突出して配設されており、パイプ部材１９による床面などへの傷付きを防止している。
【００３２】
ブラシホルダー２２は、パイプ部材１９の上方に位置した時に外郭右３７、外郭左３８の先端部よりも突出代Ｂを有して若干、ブラシ２１の先端部が突出した状態で保持されている。４２は、ブラシホルダー２２がパイプ部材１９との間に発生する隙間を覆ってブラシホルダー２２とともに連通部２２Ａを形成するカバー体であり、ブラシホルダー２２の回動中心と同軸で回動自在に構成され、ブラシホルダー２２の連通部２２Ａ側に形成された被保持部Ｂ４３と、被係合部Ｃ４４に当接する係合部Ｃ４５を有し、ブラシホルダー２２の回動とともに回動するとともに、外郭面両側に設けた係合部Ｂ２７が、外郭右３７、外郭左３８の内面にそれぞれ設けられた被係合部Ｂ３７’、３８’と当接してブラシホルダー２２が回動突出した時のカバー体４２の回動時の位置規制を行っている。
【００３３】
また、外郭右３７、外郭左３８の尾錠Ａ２９配置面には、外郭右３７、外郭左３８のそれぞれに設けた溝部右４６、溝部左４７と係合するリブ４８を形成した外郭上４９を配設して、ネジ４０とともに外郭右３７、外郭左３８の上部の保持、固定を行っている。
【００３４】
前記回転軸２０に保持されるブラシホルダー２２の回動軸部２２Ｂの外周下側略半分には、吸込具１８の移動を容易にするための移動補助体として、フッ素樹脂系の滑り材２２Ｃを被掃除面に当接するように配設している。
【００３５】
先端パイプ１４と、延長管１３の先端部にも、吸込具１８のパイプ部材１９の接続部Ａ２３と同一形状の接続部Ｂ５０、Ｃ５１を構成し、尾錠Ａ２９と略同一の形状を有する尾錠Ｂ５２、Ｃ５３をそれぞれ配設し、同様に凸部Ｂ５４、Ｃ５５、釦Ｂ５６、Ｃ５７、軸Ｂ５８、Ｃ５９、圧縮バネＢ６０、Ｃ６１をそれぞれ有している。
【００３６】
吸込具１８のパイプ部材１９と、床用吸込具１５の他端部には、接続部Ｂ５０、Ｃ５１に挿入し、接続される延長管１３の被接続部Ａ２８と同一形状の被接続部Ｂ６２、Ｃ６３を構成し、同様に凹部Ｂ６４、Ｃ６５を有し、前記尾錠Ｂ５２、Ｃ５３の凸部Ｂ５４、Ｃ５５と係合し、保持される。
【００３７】
これにより、接続部がそれぞれ同一形状の接続部Ａ２３、Ｂ５０、Ｃ５１と被接続部Ａ２８、Ｂ６２、Ｃ６３を有することになり、先端パイプ１４、吸込具１８、延長管１３、床用吸込具１５がそれぞれ接続可能になっている。
【００３８】
また、６６は、吸込具１８のパイプ部材１９の被接続部Ｂ６２に設けられ、回転ブラシ（図示せず）を駆動させる駆動モーター（図示せず）を配設した床用吸込具１５に電源を供給する電源線（図示せず）に接続される凸端子Ａであり、延長管１３、床用吸込具１５の被接続部Ａ２８、Ｃ６３にも、同一形状の凸端子Ｂ６７、Ｃ６８を配設し、吸込具１８のパイプ部材１９、先端パイプ１４、延長管１３の接続部Ａ２３、Ｂ５０、Ｃ５１に配された凹端子Ａ６９、Ｂ７０、Ｃ７１と電気的に接続される。
【００３９】
７２、７３は、把手１２の前部に設けられ、電動送風機４の運転、停止を行う運転スイッチ、停止スイッチである。また、７４は、パイプ部材１９に配置した尾錠Ａ２９、凸端子Ａ６６、凹端子Ａ６９などを上方から覆い、パイプ部材１９との間に挟み込んで保持するパイプカバーである。
【００４０】
以上のように構成された本実施の形態における吸込具及びそれを備えた電気掃除機の動作、作用は、以下の通りである。
【００４１】
床面の掃除を行う時には、本体７の吸気口１０に、ホース８の接続パイプ１１を接続し、先端パイプ１４の接続部Ｂ５０に、吸込具１８のパイプ部材１９の被接続部Ｂ６２を、パイプ部材１９の接続部Ａ２３に、延長管１３の被接続部Ａ２８を、延長管１３の接続部Ｃ５１に、床用吸込具１５の被接続部Ｃ６３をそれぞれ接続して、先端パイプ１４の把手１２を握り、運転スイッチ７２を押して電動送風機４を起動させると、電動送風機４の吸引力によって床面上の塵埃を、空気と共に床用吸込具１５から吸込み、延長管１３、パイプ部材１９、先端パイプ１４、ホース８、接続パイプ１１、吸気口１０を介して本体７の集塵室３に配置した集塵袋２内に集塵していく。
【００４２】
次に、ソファーや壁際、カーテン、テーブル上、または、床用吸込具１５が入らないような隙間を掃除する時には、床用吸込具１５とともに、延長管１３の被接続部Ａ２８をパイプ部材１９の接続部Ａ２３から外す。この時、尾錠Ａ２９の釦Ａ３２を押して延長管１３をパイプ部材１９から外すと、図２、６、９に示すように、パイプ部材１９の先端に配置した吸口部材としてのブラシホルダー２２の被保持部Ａ３６と尾錠Ａ２９の保持部Ａ３５による係合が外れて、パイプ部材１９の上方に位置していたブラシホルダー２２がフックバネ２４の附勢力によって接続部Ａ２３側に回動し、カバー体４２の係合部Ｃ４５に、ブラシホルダー２２の被係合部Ｃ４４が当接することによって、ブラシホルダー２２の回動ととともにカバー体４２も回動する。
【００４３】
この時、外郭右３７、外郭左３８の被係合部Ｂ３７’、３８’に、カバー体４２の係合部Ｂ２７が当接することによってカバー体４２の回動角度が規制されると共に、パイプ部材１９の被係合部Ａ２５に、ブラシホルダー２２の係合部Ａ２６が当接して、パイプ部材１９に対するブラシホルダー２２の回動角度が規制され、ブラシ２１がパイプ部材１９に対して一定の角度αを有した状態まで回動する。
【００４４】
したがって、この状態ですぐ吸込具１８としてソファーや壁際などの掃除が可能になる。この時、吸込具１８の被掃除面と当接する部分に滑り材２２Ｃを配設していることにより、吸込具１８を軽い力で操作することが可能である。
【００４５】
さらには、前記滑り材２２Ｃを、回動軸部２２Ｂの外周下側略半分に配設していることにより、ブラシホルダー２２を収納した状態でも吸込具１８の下部には滑り材２２Ｃが位置することになり、先端パイプ１４を被掃除面に平行に位置させた時に被掃除面に滑り材２２Ｃが当接して被掃除面との操作抵抗を低減し、軽い力で操作することが出来る。
【００４６】
また、フックバネ２４による附勢力によって、ブラシ２１が常に被掃除面側に附勢されていることにより、被掃除面への密着性が良く、塵埃の除去が効率的に行えるとともに、先端パイプ１４の被掃除面に対する角度が変わっても、ブラシ２１の面が被掃除面に接地した状態で回動することにより、把手１２の角度を変える必要がなく、使用性が向上し、かつ、掃除性能も向上するものである。
【００４７】
さらには、爪楊枝やボタン、小石などの重量のある塵埃がブラシ２１の通常の角度（本実施の形態のα）で吸わなくても、先端パイプ１４を、被掃除面に押し付けてブラシ２１の角度を変えて、ブラシ２１先端からパイプ部材１９の接続部Ａ２３の距離が短くなることにより、ブラシ２１部の真空圧が増大して吸込むことが可能となり、掃除実態にあった吸込み性の優れた吸込具１８を提供することができるものである。
【００４８】
また、ブラシホルダー２２がパイプ部材１９側に移動する方向に大きな力が加わっても、外郭右３７、外郭左３８の先端略外周に軟質材で形成されたバンパー４１を配置しているので、被掃除面への傷つきが防止できる。さらには、ブラシ２１が外郭右３７、外郭左３８内に収納された状態で、ブラシ２１の先端部が外郭右３７、外郭左３８より突出していることにより、被掃除面への傷つきがより防止できるとともにその収納状態でもブラシ２１による簡単な掃除が可能であり、さらには、ブラシ２１が外郭右３７、外郭左３８に突っかかって出てこないなどの不具合も防止できるものである。
【００４９】
また、ブラシ２１の回動角度αを６０°に設定していることにより、ブラシ２１の先端面が把手１２と略平行になり、自然な姿勢で把手１２を移動でき、楽に掃除が行える。
【００５０】
次に、ブラシ２１を、外郭右・左３７、３８内に収納する時や、延長管１３をパイプ部材１９に接続する時には、ブラシ２１の弾性力がフックバネ２４の附勢力（弾性力）と同等以上に設定していることから、図９に示すように、ブラシ２１を被掃除面に押し付け、先端パイプ１４をＣ方向に回転させ、ブラシホルダー２２を回動させることにより、被保持部Ａ３６が尾錠Ａ２９の保持部Ａ３５に係合して、ブラシホルダー２２がパイプ部材１９の上方に位置した状態で保持され、外郭右３７、外郭左３８の中に容易に収納されて、パイプ部材１９の接続部Ａ２３に延長管１３の被接続部Ａ２８が容易に挿入でき、図４、図５に示すように延長管１３に容易に接続できるものである。
【００５１】
さらには、ブラシホルダー２２が回動してパイプ部材１９の上方に位置した時に、外郭右３７、外郭左３８の中にブラシホルダー２２とカバー体４２とブラシ２１の大部分が収納されることにより、収納状態で汚れやすいブラシホルダー２２やブラシ２１などに手が触れにくく、また、見た目にも汚れが目立たないため、衛生的である。
【００５２】
また、ブラシホルダー２２が一定の角度αに位置した時にブラシホルダー２２とパイプ部材１９との間に発生する隙間を覆うカバー体４２を配設しているので、ブラシホルダー２２を大きくすること無く、パイプ部材１９との間に連通部２２Ａを形成することができ、ブラシホルダー２２の回動角度αを大きくして掃除範囲を拡大しても小型の吸込具１８が提供できる。
【００５３】
さらには、パイプ部材１９、ブラシホルダー２２、カバー体４２、外郭右・左３７、３８間の回動に必要な隙間部に各係合部、被係合部を配置させることにより、吸込具１８の小型化を図るとともに、各係合部、被係合部で吸込具１８にかかる外力を受けることができ、吸込具１８の剛性アップが図れ、強度、耐久性の向上が図れるものである。
【００５４】
したがって、ソファーや壁際などを掃除する時に使用する吸込具１８の取付け、取り外しをする必要がなく、また、塵埃を吸込んだ吸込具１８やブラシ２１に触れること無く、延長管１３の着脱動作や掃除動作と連動して吸込具１８の使用状態、収納状態が選択でき、使用性が著しく向上するとともに清潔で収納性に優れ、かつ、掃除性能の優れた吸込具１８を提供でき、多大な効用を得ることができるものである。
【００５５】
（実施の形態２）
本発明の第２の実施の形態における吸込具について、図１０〜図１２を用いて説明する。
【００５６】
なお、上記第１の実施の形態における吸込具と同一部品については、同一符号を付与して、その説明を省略する。
【００５７】
上記第１の実施の形態では、ブラシホルダー２２の回動軸部２２Ｂの外周下側略半分に配する移動補助体として、滑り材２２Ｃを配設したが、本実施の形態は、その滑り材２２Ｃの代わりに、起毛布２２Ｄを被掃除面に当接するように配設したものである。
【００５８】
上記構成による作用は、以下の通りである。
【００５９】
ブラシホルダー２２を回動させて吸込具１８を使用する時には、前記起毛布２２Ｄが被掃除面と当接して、操作抵抗を低減させ、軽い力で操作が可能になるとともに被掃除面上を拭き上げる効果も期待でき、特に床面などの被掃除面での掃除性能の向上に有効である。また、上記第１の実施の形態と同様に、起毛布２２Ｄを回動軸部２２Ｂの外周下側略半分に配設していることにより、ブラシホルダー２２を収納した状態でも吸込具１８の下部には起毛布２２Ｄが位置しており、先端パイプ１４を被掃除面に平行に位置させた時に被掃除面に起毛布２２Ｄが当接して被掃除面との操作抵抗を低減し、軽い力で操作することが出来るとともに被掃除面の拭き掃除も行える。
【００６０】
また、起毛布２２Ｄの代わりに、エチケットブラシ２２Ｅなどの清掃用硬質材を用いると被掃除面にこびりついた塵埃を除去する効果が期待でき、特に床面などの平坦な被掃除面での掃除性能の向上に有効である。
【００６１】
（実施の形態３）
本発明の第３の実施の形態における吸込具について、図１３〜図１５を用いて説明する。
【００６２】
なお、上記第１、第２の実施の形態における吸込具と同一部品については、同一符号を付与し、説明を省略する。
【００６３】
本実施の形態は、吸込具１８の回動軸部２２Ｂに配した回転軸２０の両端に小ローラー７５を取り付けたもので、より具体的には、回転軸２０の一端に形成されたストッパー２０Ａと外郭右３７との間、及び回転軸２０の他端に取付けられるワッシャ７６と外郭左３８との間のそれぞれに小ローラー７５が、回転自在にかつ吸込具１８の外郭下部より突出して保持されている。
【００６４】
本実施の形態では、前記小ローラー７５の表面に、起毛布７５Ａを巻き付けてある。また、上記第２の実施の形態と同様に、本実施の形態においても、ブラシホルダー２２の回動軸部２２Ｂの外周下側略半分に起毛布２２Ｄを配設している。
【００６５】
上記構成による作用は以下の通りである。
【００６６】
ブラシホルダー２２を回動させて吸込具１８を使用する時には、前記小ローラー７５が被掃除面と当接して、操作抵抗を低減させ、より軽い力で操作が可能になるとともに起毛布２２Ｄにより被掃除面上を拭き上げる効果も期待できる。また、小ローラー７５の表面に起毛布７５Ａを巻き付けたことにより、吸込具１８は、小ローラー７５による前後方向への操作性の向上とともに、起毛布７５Ａが被掃除面上を滑ることにより、吸込具１８の左右方向への操作性が向上する。
【００６７】
さらには、ブラシホルダー２２を収納した状態でも吸込具１８の外郭下部からは小ローラー７５が突出しており、図１４（ｂ）に示すように、把手１２を有する先端パイプ１４に吸込具１８を取り付け、更に床用吸込具１５を先端に取り付けた延長管１３を吸込具１８のパイプ部材１９に取り付けた状態で、先端パイプ１４の下部を被掃除面Ａに接する位まで下げて、延長管と被掃除面Ａとが平行に位置させた時にも小ローラー７５が被掃除面Ａと接するので操作抵抗を低減し、軽い力で操作することが出来るとともに被掃除面Ａに起毛布２２Ｄが当接して被掃除面Ａの拭き掃除も行える。
【００６８】
なお、本実施の形態では、ブラシ付きの吸込具１８で説明したが、尾錠Ａ２９によるブラシホルダー２２の収納時の保持が可能な構成であれば、ブラシ２１部に延長管１３の被接続部Ａ２８が挿入できる開口部を形成しなくても例えば吸込口先端を絞った隙間ノズル形態でも同様の効果が得られ、より簡単な構成が可能になることは言うまでも無い。
【００６９】
また、同様に延長管１３の先端に本発明の吸込具１８を配置しても同様の効果が得られることは言うまでも無い。
【００７０】
尚、本発明は、上記実施の形態に限定されるものでは無い。
【産業上の利用可能性】
【００７１】
以上のように、本発明にかかる吸込具は、先端パイプなどへの吸込具の着脱が吸込具に触れること無く、かつ、延長管の着脱における動作、掃除動作の中で容易に行えるとともに吸込具の収納も行え、さらには移動補助体の配設により操作力が軽減され、衛生的で使用性の向上が図れるとともに掃除性能の向上が図れるので、各種電気掃除機や吸塵装置に適用できる。
【図面の簡単な説明】
【００７２】
【図１】本発明の実施の形態１における吸込具を備えた電気掃除機の全体斜視図
【図２】同吸込具の使用状態における要部断面図
【図３】同吸込具の分解斜視図
【図４】同吸込具の延長管接続状態における要部断面図
【図５】同吸込具の延長管接続状態における側面図
【図６】同吸込具の使用状態における側面図
【図７】同吸込具の収納状態における上面図
【図８】同吸込具の収納状態における要部断面図
【図９】同吸込具の使用状態における斜視図
【図１０】本発明の実施の形態２における吸込具の分解斜視図
【図１１】同吸込具の延長管接続状態における側面図
【図１２】同吸込具の使用状態における側面図
【図１３】本発明の実施の形態３における吸込具の分解斜視図
【図１４】（ａ）同吸込具の延長管接続状態における側面図（ｂ）同使用状態における側面図
【図１５】同吸込具の使用状態における側面図
【符号の説明】
【００７３】
７      電気掃除機本体（本体）
１３    延長管
１４    先端パイプ
１８    吸込具
１９    パイプ部材
２０    回転軸
２２    ブラシホルダー（吸口部材）
２２Ａ  連通部
２２Ｂ  回動軸部
２２Ｃ  滑り材（移動補助体）
２２Ｄ  起毛布（移動補助体）
２２Ｅ  エチケットブラシ（移動補助体）
２４    フックバネ（弾性体）
２５    被係合部Ａ
２６    係合部Ａ
２７    係合部Ｂ
２８    被接続部Ａ
２９    尾錠Ａ
３０    凸部Ａ（係止部）
３１    凹部Ａ
３２    釦Ａ（釦）
３５    保持部Ａ
３６    被保持部Ａ
７５    小ローラー（ローラー）
７５Ａ  起毛布
【図１】
2009061209.tif 000003
【図２】
2009061209.tif 000004
【図３】
2009061209.tif 000005
【図４】
2009061209.tif 000006
【図５】
2009061209.tif 000007
【図６】
2009061209.tif 000008
【図７】
2009061209.tif 000009
【図８】
2009061209.tif 000010
【図９】
2009061209.tif 000011
【図１０】
2009061209.tif 000012
【図１１】
2009061209.tif 000013
【図１２】
2009061209.tif 000014
【図１３】
2009061209.tif 000015
【図１４】
2009061209.tif 000016
【図１５】
2009061209.tif 000017